(57)【要約】      （修正有）【課題】積み重ねの操作性及び見栄えが向上するペットサークルを提供する。【解決手段】ペットサークル１は、ペットの居住空間２を画定する第１から第４パネル３ａ，３ｂ，３ｃ，３ｄと、第１から第４パネル３ａ，３ｂ，３ｃ，３ｄのうちの隣り合うパネルの間にそれぞれ配置された第１から第４支柱部５ａ，５ｂ，５ｃ，５ｄと、第１から第４支柱部５ａ，５ｂ，５ｃ，５ｄに設けられた凸部を覆って第１から第４支柱部５ａ，５ｂ，５ｃ，５ｄ上に配置される第１から第４蓋部７ａ，７ｂ，７ｃ，７ｄとを有している。【選択図】図１
0003195401.tif 000002
【実用新案登録請求の範囲】
【請求項１】
ペットの居住空間を画定する複数のパネルと、
細長形状に形成されて隣り合う２枚の前記パネルを支持する支持部と、前記支持部の一端に形成された凸部と、前記支持部の他端に形成されて前記凸部と同一形状の凸部を挿入可能な凹部とを有する支柱部と、
前記支持部の一端に形成された前記凸部を覆って前記支柱部上に配置される蓋部と
を有することを特徴とするペットサークル。
【請求項２】
前記居住空間上に配置される天井パネルをさらに有し、
前記蓋部は、前記居住空間上に前記天井パネルを保持するパネル保持部を有すること
を特徴とする請求項１記載のペットサークル。
【請求項３】
前記蓋部は、前記支持部の外周面に倣う形状に形成された側面を有すること
を特徴とする請求項１又は２に記載のペットサークル。
【請求項４】
前記支持部と前記支持部が支持する前記２枚のパネルとの成す角は、鈍角であること
を特徴とする請求項１から３までのいずれか一項に記載のペットサークル。
【請求項５】
前記支柱部は、
内側に空洞部を有し、
前記支持部で支持する２枚の前記パネルの一部を前記空洞部に収容していること
を特徴とする請求項１から４までのいずれか一項に記載のペットサークル。
【請求項６】
前記空洞部において前記空洞部に収容された隣り合う２枚の前記パネルを連結する連結具をさらに有すること
を特徴とする請求項５記載のペットサークル。
【請求項７】
前記連結具は、前記パネルの端部に形成された突出部を用いて連結対象の２枚の前記パネルを連結すること
を特徴とする請求項６記載のペットサークル。
【請求項８】
ペットの居住空間を画定する４枚のパネルと、
前記居住空間上に配置された天井パネルと、
前記居住空間の下方に前記天井パネルに対向配置されたトレイと、
前記４枚のパネルのうちの隣り合うパネルの間にそれぞれ配置された支柱部と、
前記天井パネルを前記居住空間上に保持するパネル保持部を有し、前記支柱部のそれぞれの上端部に配置される蓋部と
を有し、
前記４枚のパネルのうちの１つは、前記ペットが前記居住空間と前記居住空間の外側とを行き来するための扉部を有し、
前記支柱部は、
細長形状に形成されて隣り合う２枚の前記パネルを支持する支持部と、
前記支持部の一端に形成された凸部と、
前記支持部の他端に形成されて前記凸部と同一形状の凸部が挿入される凹部とを有し、
前記蓋部は、前記支持部の一端に形成された前記凸部を覆って前記支柱部上に配置されること
を特徴とするペットサークル。
【考案の詳細な説明】
【技術分野】
【０００１】
本考案は、犬や猫などの愛玩動物の居住空間となるペットサークルに関する。
【背景技術】
【０００２】
２段や３段など複数段に重ねて愛玩動物（以下、「ペット」と称する）を収容する動物檻（例えば特許文献１）やペット用のかご（例えば特許文献２）が知られている。このような動物檻やペット用のかご（以下、「ペットサークル」と総称する）を容易に重ね合わせることが求められている。また、ペットサークルは、ペットの居住空間となるため、ペットの可愛らしさを引き立てるために見栄えの向上が求められている。
【先行技術文献】
【特許文献】
【０００３】
【特許文献１】特開平８−２３８０９号公報
【特許文献２】実用新案登録第３０１１２５１号公報
【考案の概要】
【考案が解決しようとする課題】
【０００４】
本考案の目的は、積み重ねの操作性及び見栄えが向上するペットサークルを提供することにある。
【課題を解決するための手段】
【０００５】
本考案の一態様によるペットサークルは、ペットの居住空間を画定する複数のパネルと、細長形状に形成されて隣り合う２枚の前記パネルを支持する支持部と、前記支持部の一端に形成された凸部と、前記支持部の他端に形成されて前記凸部と同一形状の凸部を挿入可能な凹部とを有する支柱部と、前記支持部の一端に形成された前記凸部を覆って前記支柱部上に配置される蓋部とを有することを特徴とする。
【０００６】
本考案の他の態様によるペットサークルは、ペットの居住空間を画定する４枚のパネルと、前記居住空間上に配置された天井パネルと、前記居住空間の下方に前記天井パネルに対向配置されたトレイと、前記４枚のパネルのうちの隣り合うパネルの間にそれぞれ配置された支柱部と、前記天井パネルを前記居住空間上に保持するパネル保持部を有し、前記支柱部のそれぞれの上端部に配置される蓋部とを有し、前記４枚のパネルのうちの１つは、前記ペットが前記居住空間と前記居住空間の外側とを行き来するための扉部を有し、前記支柱部は、細長形状に形成されて隣り合う２枚の前記パネルを支持する支持部と、前記支持部の一端に形成された凸部と、前記支持部の他端に形成されて前記凸部と同一形状の凸部が挿入される凹部とを有し、前記蓋部は、前記支持部の一端に形成された前記凸部を覆って前記支柱部上に配置されることを特徴とする。
【考案の効果】
【０００７】
本考案によれば、積み重ねの操作性及び見栄えが向上する。
【図面の簡単な説明】
【０００８】
【図１】本考案の一実施形態によるペットサークル１の外観斜視図である。
【図２】本考案の一実施形態によるペットサークル１に備えられた第１支柱部５ａの外観斜視図である。
【図３】本考案の一実施形態によるペットサークル１の外観斜視図であって、第１支柱部５ａの外側側部を取り外して見た状態を示す図である。
【図４】本考案の一実施形態によるペットサークル１を説明する図であって、第１支柱部５ａを取り外して見た、第１パネル３ａと第２パネル３ｂとを連結するジョイント部品１１近傍を示す図である。
【図５】本考案の一実施形態によるペットサークル１に備えられたジョイント部品１１を説明する図であって、第１部品１１ａから第２部品を取り外した状態を示す図である。
【図６】本考案の一実施形態によるペットサークル１を説明する図であって、第１及び第２パネル３ａ，３ｂからジョイント部品１１を取り外した状態を示す図である。
【図７】本考案の一実施形態によるペットサークル１に備えられたジョイント部品１１の外観斜視図である。
【図８】本考案の一実施形態によるペットサークル１に備えられた第１蓋部７ａの外観斜視図である。
【図９】本考案の一実施形態によるペットサークル１に備えられた第１蓋部７ａを第１支柱部５ａの凸部５１ｂに対して着脱した状態の外観斜視図である。
【図１０】本考案の一実施形態によるペットサークル１，４を積み重ねた状態を示す外観斜視図である。
【考案を実施するための形態】
【０００９】
本考案の一実施形態によるペットサークルについて図１から図１０を用いて説明する。図１は、本実施形態によるペットサークル１の外観斜視図である。
図１に示すように、本実施形態によるペットサークル１は、ペットが生活する居住空間２と、居住空間２を画定する４枚のパネル（第１パネル３ａ、第２パネル３ｂ、第３パネル３ｃ及び第４パネル３ｄ）と、居住空間２上に配置された天井パネル９とを有している。図示は省略するが、ペットサークル１は、居住空間２の下方に天井パネル９に対向配置されたトレイを有している。第１から第４パネル３ａ，３ｂ，３ｃ，３ｄと、天井パネル９と、トレイとで囲まれた空間が居住空間２となる。
【００１０】
第１パネル３ａは、ペットサークル１の正面側に配置され、第２パネル３ｂは、ペットサークル１の右側面側に配置され、第３パネル３ｃは、ペットサークル１の背面側に配置され、第４パネル３ｄは、ペットサークル１の左側面側に配置されている。また、第２パネル３ｂは、第１パネル３ａに直交して配置されている。第３パネル３ｃは、第２パネル３ｂに直交するとともに第１パネル３ａに対向配置されている。第４パネル３ｄは、第１及び第３パネル３ａ，３ｃに直交するとともに第２パネル３ｂに対向配置されている。
【００１１】
第１パネル３ａと、第２パネル３ｂと、第３パネル３ｃと、第４パネル３ｄと、天井パネル９とは、それぞれ、複数本の線材を格子状（すなわち、縦横に一定の間隔で交差する形状）に組み合わせた線材パネルである。すなわち、第１パネル３ａは複数本の線材３１１ａを格子状に組み合わせた線材パネルである。第２パネル３ｂは複数本の線材３１１ｂを格子状に組み合わせた線材パネルである。第３パネル３ｃは複数本の線材３１１ｃを格子状に組み合わせた線材パネルである。第４パネル３ｄは複数本の線材３１１ｄを格子状に組み合わせた線材パネルである。天井パネル９は複数本の線材３９１を格子状に組み合わせた線材パネルである。各線材３１１ａ、３１１ｂ、３１１ｃ、３１１ｄ、３９１は例えば金属製であり、その１本１本の形状は円筒棒状である。
【００１２】
第１パネル３ａは、左パネル３１ａと右パネル３１ｂとを有している。左パネル３１ａは、隣接する他のパネルに対して開閉可能に取り付けられており、ペットが居住空間２に出入り可能とする扉部として機能する。すなわち、左パネル３１ａが開くとペットサークル１の正面左側にペットが居住空間２に出入り可能な開口部が現れ、左パネル３１ａが閉じられるとこの開口部が塞がれるようになっている。左パネルには、扉が閉じた状態を維持するためのロック部品３１２が取り付けられている。
【００１３】
ペットサークル１は、第１から第４パネル３ａ，３ｂ，３ｃ，３ｄのうちの隣り合うパネルの間にそれぞれ配置された第１から第４支柱部５ａ，５ｂ，５ｃ，５ｄを有している。第１支柱部５ａは、隣り合う第１パネル３ａ及び第２パネル３ｂの間に配置されている。第２支柱部５ｂは、隣り合う第２パネル３ｂ及び第３パネル３ｃの間に配置されている。第３支柱部５ｃは、隣り合う第３パネル３ｃ及び第３パネル３ｄの間に配置されている。第４支柱部５ｄは、隣り合う第４パネル３ｄ及び第１パネル３ａの間に配置されている。
【００１４】
第１から第４支柱部５ａ，５ｂ，５ｃ，５ｄは、同一の構成を有し同一の機能を発揮するようになっている。ここで、第１から第４支柱部５ａ，５ｂ，５ｃ，５ｄの構成について第１支柱部５ａを例にとって図２を用いて説明する。図２は、第１支柱部５ａの外観斜視図である。図２（ａ）は、第１支柱部５ａを右斜め前方から見た斜視図であり、図２（ｂ）は、第１支柱部５ａを左斜め前方から見た斜視図である。図２（ｃ）は、第１支柱部５ａを右斜め後方から見た斜視図であり、図２（ｄ）は、第１支柱部５ａを右斜め下方から見た斜視図である。
【００１５】
図２（ａ）から図２（ｄ）に示すように、第１支柱部５ａは、平たく細長い細長形状に形成されている。第１支柱部５ａは、居住空間２（図１参照）側から居住空間２の外側に向かって曲面状に屈曲する外周面を有している。第１支柱部５ａは、隣り合う２枚のパネル（本実施形態では、第１及び第２パネル３ａ，３ｂ）を支持する支持部５１ａと、支持部５１ａの一端に形成された凸部５１ｂと、支持部５１ａの他端に形成されて凸部５１ｂと同一形状の凸部を挿入可能な凹部５１ｃとを有している。凸部５１ｂの外周は、凹部５１ｃの内周の大きさより一回り小さく形成されている。凸部５１ｂ及び凹部５１ｃは、ペットサークル１と、ペットサークル１と同形状の他のペットサークル（以下、ペットサークル１と同形状の他のペットサークルを単に「他のペットサークル」と称する）とを積み重ねる際に用いられる。ペットサークル１の上に他のペットサークルを積み重ねる際に、凸部５１ｂは、第１支柱部５ａ直上に配置される他のペットサークルの第１支柱部の凹部に嵌り合う。一方、他のペットサークルの上にペットサークル１を積み重ねる際に、凹部５１ｃは、第１支柱部５ａ直下に配置される他のペットサークルの第１支柱部の凸部と嵌り合う。
【００１６】
このように、本実施形態では、第１から第４支柱部５ａ，５ｂ，５ｃ，５ｄにそれぞれ設けられた凸部を用いて他のペットサークルをペットサークル１の直上に容易に積み重ねたり、凹部を用いて他のペットサークルの直上にペットサークル１を容易に積み重ねることができる。
【００１７】
第１支柱部５ａは、細長形状に形成された外側側部５１１ａと、外側側部５１１ａに対面して配置されて細長形状に形成された内側側部５１１ｂとを有している。外側側部５１１ａ及び内側側部５１１ｂは、互いに同じ長さかつ同じ幅に形成されている。凸部５１ｂの一部は、外側側部５１１ａの一端部に形成され、凸部５１ｂの残余の部分は、内側側部５１１ｂの一端部に形成されている。このため、外側側部５１１ａ及び内側側部５１１ｂ対面させて組み合わせることにより、凸部５１ｂが形成される。外側側部５１１ａの他端部側には、この他端部から凸部５１ｂの突出する分だけ一端部寄りの領域に仕切り板が形成されている。同様に、内側側部５１１ｂの他端部側には、この他端部から凸部５１ｂの突出する分だけ一端部寄りの領域に仕切り板が形成されている。このため、外側側部５１１ａ及び内側側部５１１ｂを対面させて組み合わせることにより、両仕切り板の端部同士が接触されるため、第１支柱部５ｂの他端部には、凸部５１ｂと同形状の凸部を挿入可能な凹部５１ｃが形成される。
【００１８】
第１支柱部５ａの右側面には、一対の穴部５１１ｄが２ヶ所形成されている。また、第１支柱部５ａの左側面には、一対の穴部５１１ｃが２ヶ所形成されている。一対の穴部５１１ｃ、５１１ｄは、外側側部５１１ａ及び内側側部５１１ｂの長手方向の側端部の一部を切り欠いて形成されている。第１支柱部５ａは内側に空洞部（図２では不図示）を有しており、一対の穴部５１１ｃ，５１１ｄはこの空洞部に連通している。したがって、一対の穴部５１１ｃ，５１１ｄを介してこの空洞部と、ペットサークル１が置かれた外部空間（以下、単に「外部空間」と称する）とが連通するようになっている。
【００１９】
図２（ｃ）に示すように、内側側部５１１ｂには、２つの貫通穴５１１ｅが形成されている。図示は省略するが、外側側部５１１ａと内側側部５１１ｂとを重ね合わせたときに、２つの貫通穴５１１ｅに対向する外側側部５１１ａの内面には、内面にねじが切られた円筒部が形成されている。外側側部５１１ａと内側側部５１１ｂとは、貫通穴５１１ｅに挿入されたねじがこの円筒部にねじ止めされることにより互いに固定される。
【００２０】
次に、隣り合うパネルを連結する連結構造について図３から図７を用いて説明する。隣り合うパネルを連結する連結構造は、第１から第４支柱部５ａ，５ｂ，５ｃ，５ｄにおいて全て同様であるため、以下、第１支柱部５ａを例にとって説明する。図３は、第１支柱部５ａの外側側部５１１ａを取り外して見た、ペットサークル１の外観斜視図である。図４は、第１パネル３ａと第２パネル３ｂとを連結するジョイント部品（連結部の一例）１１近傍を示す図である。図５は、ジョイント部品１１近傍であってジョイント部品１１の第１部品１１ａから第２部品を取り外した状態を示す図である。図６は、第１及び第２パネル３ａ，３ｂからジョイント部品１１を取り外した状態を示す図である。
【００２１】
図３に示すように、第１支柱部５ａの内部には、空洞部５１ｄが形成されている。第１支柱部５ａは、支持部５１ａで支持する第１及び第２パネル３ａ，３ｂの一部を空洞部５１ｄに収容している。本実施形態では、第１支柱部５ａは、第１パネル３ａの端部から突出して形成された２つの突出部３１ｃと、第２パネル３ｂの端部から突出して形成された２つの突出部３２ｃとを空洞部５１ｄに収容している。
【００２２】
図４から図６に示すように、突出部３１ｃは、両端部が第１パネル３ａの端部に接続されるように線材を矩形状に折り曲げた構成を有している。突出部３１ｃは、第１パネル３ａに対して斜め後方、すなわち第２パネル３ｃ側に向かって引き出されている。突出部３２ｃは、両端部が第２パネル３ｂの端部に接続されるように線材を矩形状に折り曲げた構成を有している。突出部３２ｃは、第２パネル３ｂに対して斜め後方、すなわち第１パネル３ａ側に向かって引き出されている。
【００２３】
図３に戻って、第１及び第２パネル３ａ，３ｂの間に第１支柱部５ａを配置したときに、突出部３１ｃは、一対の穴部５１１ｃの対応する位置に配置されるようになっている。突出部３１ｃを形成する線材の直径は、一対の穴部５１１ｃの直径よりも短くなっている。また、第１パネル３ａから引き出された突出部３１ｃの引き出し部分の間隔は、一対の穴部５１１ｃの間隔と等しくなっている。このため、突出部３１ｃは、一対の穴部５１１ｃに挿入されることができる。同様に、第１及び第２パネル３ａ，３ｂの間に第１支柱部５ａを配置したときに、突出部３２ｃは、一対の穴部５１１ｄの対応する位置に配置されるようになっている。突出部３２ｃを形成する線材の直径は、一対の穴部５１１ｄの直径よりも短くなっている。また、第２パネル３ｂから引き出された突出部３２ｃの引き出し部分の間隔は、一対の穴部５１１ｄの間隔と等しくなっている。このため、突出部３２ｃは、一対の穴部５１１ｄに挿入されることができる。
【００２４】
ペットサークル１は、第１支柱部５ａの空洞部５１ｄにおいて空洞部５１ｄに収容されて隣り合う第１及び第２パネル３ａ，３ｂを連結するジョイント部品１１を有している。ジョイント部品１１は、第１及び第２パネル３ａ，３ｂの各端部に形成された突出部３１ｃ，３２ｃを用いて連結対象の第１及び第２パネル３ａ，３ｂを連結するようになっている。ジョイント部品１１は、居住空間２側に配置される第１部品１１ａと、外部空間側に配置される第２部品１１ｂとを有している。ジョイント部品１１は、突出部３１ｃと突出部３２ｃとが最も近付いた場所で突出部３１ｃ，３２ｃの一部（突出部３１ｃ，３２ｃの引き出し部を繋ぐ部分）を第１及び第２部品１１ａ，１１ｂで挟むことによって、第１パネル３ａと第２パネル３ｂとを連結するようになっている。
【００２５】
ここで、ジョイント部品１１の構成について図７を用いて説明する。図７は、第１部品１１ａから第２部品１１ｂを取り外した状態のジョイント部品１１の外観斜視図である。ジョイント部品１１は、２つの線材を着脱可能に連結する連結具である。
図７に示すように、第１部品１１ａは、第２部品１１ｂが配置される側（以下、「正面側」と称する）に形成された第１溝部１１３と、正面側に形成された第２溝部１１４と、正面側に形成された係合部１１５と、正面側の外周部に形成された凸部１１６とを有している。第１部品１１ａは、正面側の裏面側に平らで滑らかな面を有している。第１部品１１ａは例えば熱硬化性樹脂で形成されており、第１及び第２溝部１１３，１１４、係合部１１５並びに凸部１１６は一体に形成されている。
【００２６】
第１及び第２溝部１１３，１１４は互いに平行で一方向（例えば、縦方向）に沿って延設された溝部である。第１及び第２溝部１１３，１１４の幅は、連結対象（本実施形態では、突出部３１ｃ，３２ｃを構成する線材）の幅よりも若干大きく形成されている。
【００２７】
係合部１１５は、第１溝部１１３と第２の溝部１１４との間に形成されている。係合部１１５は、正面側から見て、第１溝部１１３及び第２溝部１１４と重ならないように（すなわち、被らないように）形成されている。また、係合部１１５は、正面側に形成された支持部１１５ｂと、支持部１１５ｂに支持された係合片１１５ａとを有している。支持部１１５ｂは、第１溝部１１３と第２溝部１１４との間から突出して形成されている。係合片１１５ａは支持部１１５ｂの端部に固定されている。
【００２８】
支持部１１５ｂの形状は例えば円柱状であり、その直径は、第１溝部１１３と第２溝部１１４との間の離間距離と同じ値、又は、この離間距離よりも小さい値となっている。また、係合片１１５ａは、第１及び第２溝部１１３，１１４の伸びる方向に長手方向を有する板状を有している。係合片１１５ａの長手方向と直交する短手方向の長さは、支持部１１５ｂの直径と同じ値となっている。また、凸部１１６は、正面側の外周部（例えば、両側部）に形成されている。
【００２９】
第２部品１１ｂは、第１部品１１ａに対面する対面側からこの対面側の裏面側との間に形成された貫通穴１２３と、貫通穴１２３の両側に形成された縁部１２４と、貫通穴１２３及び縁部１２４の周りに形成された周壁部１２５と、縁部１２４に形成された規制部１２６と、対面側の外周部（例えば、両側部）に形成された凹部１２７とを有している。
【００３０】
第２部品１１ｂが有する貫通穴１２３の平面視による形状と大きさは、第１部品１１ｂが有する係合部１１５の平面視による形状と大きさに対応している。例えば、貫通穴１２３の平面視による形状は係合片１１５ａの平面視による形状とほぼ同じである。また、貫通穴１２３の平面視による大きさは、係合片１１５ａの平面視による大きさよりも若干大きい。平面視で、貫通穴１２３の長手方向の長さは、係合片１１５ａの長手方向の長さよりも長くなっている。これにより、第１部品１１ａと第２部品１１ｂとは、凸部１１６が形成された面と凹部１２７が形成された面とを対向させた状態で、係合部１１５を貫通穴１２３に挿入することが可能となっている。
【００３１】
また、周壁部１２５のうち、貫通穴１２３の長手方向と平面視で交差する方向で対向する壁同士の離間距離は、係合片１１５ａの長手方向の長さ以上となっている。さらに、貫通穴１２３の長手方向と平面視で交差する方向で対向する壁同士の離間距離は、貫通穴１２３の長手方向の長さより長くなっている。
また、縁部１２４の厚さは、支持部１１５ｂの高さよりも短くなっている。これにより、係合部１１５を貫通穴１２３に挿入し、第１部品１１ａと第２部品１１ｂとを接触させると、係合片１１５ａは貫通穴１２３の開口端から外側へ出た状態となる。
【００３２】
ジョイント部品１１では、第１部品１１ａと第２部品１１ｂとを対向させて係合部１１５が貫通穴１２３に挿入された状態で、第２部品１１ｂは第１部品１１ａに対して相対的に回転動作することが可能となる。この回転動作により、係合部１１５は貫通穴１２３に係合しない状態から係合する状態に可逆的に移行する。例えば、貫通穴１２３に係合部１１５が挿入されると、係合片１１５ａが貫通穴１２３の開口端から外側へ出るため、第２部品１１ｂは回転動作が可能となる。そして、この回転動作により、係合片１１５ａは貫通穴１２３の縁部１２４に係合しない状態から係合する状態に可逆的に移行する。
【００３３】
ここで、第１及び第２パネル３ａ，３ｂの連結方法について説明する。図６に示すように、突出部３１ｃと突出部３２ｃとの間隔が第１部品１１ａの溝部１１３と溝部１１４との間隔にほぼ等しくなるように、第１及び第２パネル３ａ，３ｂを配置する。次に、図５に示すように、第１部品１１ａを居住空間２側に配置し、突出部３１ｃを溝部１１３に差し込み、突出部３２ｃを溝部１１４に差し込む。次に、図７に示すように、第１部品１１ａの長手方向と第２部品１１ｂの長手方向とが交差するように第２部品１１ｂを配置した後、貫通穴１２３に係合部１１５を挿入し、第１部品１１ａの長手方向が第２部品１１ｂの長手方向に一致するように、第２部品１１ｂを回転動作させる。凸部１１６が凹部１１７に挿入され、かつ規制部１２６によって第２部品１１ｂの回転動作が規制される。これにより、図４に示すように、ジョイント部品１１は、第１及び第２部品１１ａ，１１ｂによって突出部３１ｃ，３２ｃを挟んだ状態で保持される。このようにして、ジョイント部品１１は、第１及び第２パネル３ａ，３ｂを連結する。第１から第４支柱部５ａ，５ｂ，５ｃ，５ｄを設けなくても、第１及び第２パネル３ａ，３ｂ同士をジョイント部品１１により連結し、第２及び第３パネル３ｂ，３ｃ同士、第３及び第４パネル３ｃ，３ｄ同士、並びに第４及び第１パネル３ｄ，３ａ同士をジョイント部品１１と同一形状のジョイント部品によりそれぞれ連結することによって、第１から第４パネル３ａ．３ｂ．３ｃ．３ｄで構成されて居住空間２を囲むサークルが形成される。
【００３４】
図１に戻って、ジョイント部品１１によって第１及び第２パネル３ａ，３ｂを連結した後に、第１支柱部５ａは、ジョイント部品１１及び突出部３１ｃ，３２ｃを空洞部５１ｄに内包して第１及び第２パネル３ａ，３ｂの間に配置される。第２支柱部５ｂは、第１支柱部５ａと同様に、ジョイント部品及び突出部を空洞部に内包して第２及び第３パネル３ｂ，３ｃの間に配置される。同様に、第３支柱部５ｃは、ジョイント部品及び突出部を空洞部に内包して第３及び第４パネル３ｃ，３ｄの間に配置される。同様に、第４支柱部５ｄは、ジョイント部品及び突出部を空洞部に内包して第４及び第１パネル３ｄ，３ａの間に配置される。
【００３５】
突出部３１ｃの引き出される方向と、第１パネル３ａの面内方向との成す角度は鈍角になっている。突出部３２ｃの引き出される方向と、第２パネル３ｂの面内方向との成す角度は鈍角になっている。第１支柱部５ａは、外側側部５１１ａと内側側部５１１ｂとによってジョイント部品１１及び突出部３１ｃ，３２ｃを挟んで空洞部５１ｄに内包するようになっている。このため、第１支持部５１ａは、第１パネル３ａ及び第２パネル３ｂの各面内方向に対して傾く。支持部５１ａと、支持部５１ａが支持する第１パネル３ａとの成す角は鈍角となり、支持部５１ａと、支持部５１ａが支持する第２パネル３ｂとの成す角も鈍角となる。支持部５１ａが第１及び第２パネル３ａ，３ｂの各面内方向との成す角は、突出部３１ｃの引き出される方向と第１及び第２パネル３ａ，３ｂの各面内方向との成す角度とほぼ等しくなる。同様に、支持部５２ａが第２及び第３パネル３ｂ，３ｃの各面内方向と成す角は鈍角となる。同様に、支柱部５３ａが第３及び第４パネル３ｃ，３ｄの各面内方向と成す角は鈍角となり、支柱部５４ａが第４及び第１パネル３ｄ，３ａの各面内方向と成す角は鈍角となる。
【００３６】
第１から第４支柱部５ａ，５ｂ，５ｃ，５ｄは、第１から第４パネル３ａ，３ｂ，３ｃ，３ｄに対して傾いて居住空間２の四隅に配置される。このため、図１に示すように、居住空間２は、ペットサークル１の上方から見て、第１から第４支柱部５ａ，５ｂ，５ｃ，５ｄによって四隅が面取りされた八角形状になる。
【００３７】
本実施形態によるペットサークル１は、第１から第４パネル３ａ，３ｂ，３ｃ，３ｄを構成する線材を第１から第４支柱部５ａ，５ｂ，５ｃ，５ｄの空洞部に直接収容する構成ではなく、第１から第４パネル３ａ，３ｂ，３ｃ，３ｄから突出して形成された突出部を第１から第４支柱部５ａ，５ｂ，５ｃ，５ｄの空洞部に収容する構成を有している。これにより、第１から第４パネル３ａ，３ｂ，３ｃ，３ｄは、隣り合うパネルの双方に向かって伸びる形状（例えば支持部がほぼ直角に曲がった形状）に限定されず、緩やかに湾曲したほぼ平板形状を有することができる。このように、本実施形態によるペットサークル１は、第１から第４支柱部５ａ，５ｂ，５ｃ，５ｄの形状の設計自由度が向上する。
【００３８】
ペットサークル１は、支持部５１ａの一端に形成された凸部５１ｂ（図１では不図示）を覆って第１支柱部５ａ上に配置される第１蓋部７ａを有している。また、ペットサークル１は、支持部５２ａの一端に形成された凸部（図１では不図示）を覆って第２支柱部５ｂ上に配置される第２蓋部７ｂを有している。また、ペットサークル１は、支持部５３ａの一端に形成された凸部（図１では不図示）を覆って第３支柱部５ｃ上に配置される第３蓋部７ｃを有している。また、ペットサークル１は、支持部５４ａの一端に形成された凸部（図１では不図示）を覆って第４支柱部５ｄ上に配置される第４蓋部７ｄを有している。
【００３９】
第１から第４蓋部７ａ，７ｂ，７ｃ，７ｄは、同一の構成を有し同一の機能を発揮するので、以下、第１蓋部７ａを例にとって蓋部の構成を説明する。図８は、第１蓋部７ａの外観斜視図である。図８（ａ）は、斜め上方から見た第１蓋部７ａの外観斜視図であり、図８（ｂ）は、斜め下方から見た第１蓋部７ａの外観斜視図である。図９は、第１蓋部７ａを第１支柱部５ａの凸部５１ｂに対して着脱した状態の外観斜視図である。図９（ａ）は、第１蓋部７ａを凸部５１ｂ上に配置した状態（着状態）を示し、図９（ｂ）は、第１蓋部７ａを凸部５１ｂから取り外した状態（脱状態）を示している。
【００４０】
図８（ａ）及び図８（ｂ）に示すように、第１蓋部７ａは、支持部５１ａ（図８では不図示）の外周面に倣う形状に形成された側面７１ａを有している。第１支柱部５ａ側に対向する側の側面７１ａの端部は、凸部５１ｂを挿入できるように開口されている。凸部５１ｂが挿入される側と反対側の側面７１ａ上には、曲面形状に形成された上面７１ｂが形成されている。図８（ｂ）に示すように、側面７１ａと上面７１ｂとで囲まれた内側の空間が凸部５１ｂが挿入される挿入部７１ｅとなる。
【００４１】
図８（ａ）に示すように、第１蓋部７ａは、天井パネル９を居住空間２上に保持するパネル保持部７１ｃを有している。パネル保持部７１ｃは、側面７１ａの開口端の一部に一体に形成されている。パネル保持部７１ｃは、天井パネル９を構成する線材の形状に倣う溝形状を有している。
【００４２】
図８（ａ）及び図８（ｂ）に示すように、パネル保持部７１ｃが設けられた側の側面７１ａの一部には、挿入部７１ｅに突出する突出部を備えたねじ孔７１ｄが形成されている。ねじ孔７１ｄは、側面７１ａを貫通して形成されている。第１蓋部７ａは、挿入部７１ｅに第１支柱部５ａの凸部５１ｂを挿入した後に、ねじ孔７１ｄに挿入されたねじによって第１支柱部５ａ上にねじ止めされる。
【００４３】
第１支柱部５ａに形成された凸部５１ｂは、ペットサークル１の直上に他のペットサークルを乗せるために設けられているため、機能性を重要視して形成されている。このため、図９（ｂ）に示すように、凸部５１ｂと支持部５１ａとの一体感についてはほとんど考慮されていない。これに対し、第１蓋部７ａの側面７１ａは、支持部５１ａの外周面に倣う形状に形成されている。このため、第１蓋部７ａを第１支柱部５ａ上に配置すると、図９（ａ）に示すように、側面７１ａと支持部５１ａの外周面とがほぼ面一状態となるので、第１支柱部５ａと第１蓋部７ａとの一体感が生じ、ペットサークル１の見栄えが向上する。
【００４４】
図１に戻って、第１から第４蓋部７ａ，７ｂ，７ｃ，７ｄは、それぞれのパネル支持部を居住空間２側に向けて第１支柱部５ａ，５ｂ，５ｃ，５ｄ上に配置されている。天井パネル９の角部は、第１から第４蓋部７ａ，７ｂ，７ｃ，７ｄのパネル支持部でそれぞれ保持されて、居住空間２上に保持される。天井パネル９は、第１から第４パネル３ａ，３ｂ，３ｃ，３ｄに対して着脱可能に取り付けられている。天井パネル９の長辺側端部には、２つの係止部３９２ａが設けられ、短辺側端部には、１つの係止部３９２ｂが形成されている。天井パネル９は、係止部３９２ａ及び係止部３９２ｂを第１から第４パネル３ａ，３ｂ，３ｃ，３ｄの上端部に引っ掛けた状態で係止部３９２ａ内に固定部品３９３を装着することにより、居住空間２上で第１から第４パネル３ａ，３ｂ，３ｃ，３ｄの上端部に固定される。固定部品３９３は、天井パネル９を構成する線材と第１から第４パネル３ａ，３ｂ，３ｃ，３ｄを構成する線材とを同時に挟み込んで天井パネル９を第１から第４パネル３ａ，３ｂ，３ｃ，３ｄの上端部に固定するようになっている。
【００４５】
次に、複数のペットサークルの積み重ねについて図１０を用いて説明する。図１０は、ペットサークル１の上方にペットサークル４を積み重ねた状態を示している。ペットサークル４は、図１に示すペットサークル１と同様の構成を有しているため説明は省略する。
【００４６】
図１０に示すように、ペットサークル１の第１から第４支柱部５ａ，５ｂ，５ｃ，５ｄの直上に、ペットサークル４の第１から第４支柱部６ａ，６ｂ，６ｃ，６ｄが配置されている。第１から第４支柱部６ａ，６ｂ，６ｃ，６ｄはそれぞれ、支持部５１ａと同形状の支持部を有し、凸部５１ｂと同形状の凸部を有し、凹部５１ｃと同形状の凹部を有している。このため、ペットサークル１の凸部にペットサークル４の凹部を挿入するだけで、ペットサークル１上にペットサークル４を積み重ねることができる。
【００４７】
ペットサークル４の第１から第４支柱部６ａ，６ｂ，６ｃ，６ｄに形成された凸部は、凸部５１ｂと同形状であるため、これらの凸部を覆った状態で第１から第４蓋部７ａ，７ｂ，７ｃ，７ｄを第１から第４支柱部６ａ，６ｂ，６ｃ，６ｄに配置できる。これにより、第１支柱部５ａ，第１支柱部６ａ及び第１蓋部７ａに一体感が生じる。同様に、第２支柱部５ｂ、第２支柱部６ｂ及び第２蓋部７ｂに一体感が生じ、第３支柱部５ｃ、第３支柱部６ｃ及び第３蓋部７ｃに一体感が生じ、第４支柱部５ｄ、第４支柱部６ｄ及び第４蓋部７ｄに一体感が生じる。また、本実施形態では、天井パネル９のパネル保持部は、第１から第４支柱部ではなく第１から第４蓋部７ａ，７ｂ，７ｃ，７ｄに設けられている。このため、ペットサークルを積み重ねたときに、居住空間２内にパネル保持部が突出しないので、居住空間２内で生活しているペットがパネル保持部によって怪我をしてしまうのを防止できる。
【００４８】
本実施形態では、積み重ねられたペットサークル同士は、ジョイント部品２１で固定されるようになっている。ジョイント部品２１は、ジョイント部品１１と同様の形状を有している。ジョイント部品２１は、第１部品の２つの溝部にペットサークル１，４を構成する線材をそれぞれ差し込み、第２部品の係合部を第１部品の貫通穴に挿入して第１部品を回転動作させるだけでペットサークル１にペットサークル４を固定できる。ペットサークル１とペットサークル４との間には、ペットが踊り場２２が設けられている。踊り場２２は、右パネル３１ｂ側のみに設けられ、左パネル３１ａ側には設けられていない。このため、ペットサークル１の第１から第４パネルが画定する居住空間と、ペットサークル４の第１から第４パネルが画定する居住空間とを合わせた空間がペットの生活する居住空間２となる。
【００４９】
ペットサークル１の下方には、ペットサークル１の外周囲よりも一回り大きく形成されたトレイ１３が配置されている。トレイ１３は、ペットサークル１の上方から見て、矩形（又は、角丸矩形）である底部と、底部の上方側の周辺部に設けられた周壁部と、底部の周辺部であって周壁部の外側に設けられた周端部とを有している。底部、周壁部及び周端部は、例えば合成樹脂等で一体に形成されている。トレイ１３の各短辺側には、２つのバックル５１２が回転自在に設けられている。ペットサークル１の第２及び第４パネル３ｂ，３ｄを構成する線材にバックル５１２を引っ掛けることにより、ペットサークル１はトレイ１３に固定される。
【００５０】
以上説明したように、本実施形態によるペットサークル１は、ペットの居住空間２を画定する第１から第４パネル３ａ，３ｂ，３ｃ，３ｄと、第１から第４パネル３ａ，３ｂ，３ｃ，３ｄのうちの隣り合うパネルの間にそれぞれ配置された第１から第４支柱部５ａ，５ｂ，５ｃ，５ｄと、第１から第４支柱部５ａ，５ｂ，５ｃ，５ｄに設けられた凸部を覆って第１から第４支柱部５ａ，５ｂ，５ｃ，５ｄ上に配置される第１から第４蓋部７ａ，７ｂ，７ｃ，７ｄとを有している。このため、ペットサークル１は、複数のペットサークルを積み重ねる際に使用されてペットが生活する際には使用されない凸部を第１から第４蓋部７ａ，７ｂ，７ｃ，７ｄで覆うことができる。また、第１から第４蓋部７ａ，７ｂ，７ｃ，７ｄの側面は、第１から第４支柱部５ａ，５ｂ，５ｃ，５ｄの外周面に倣う形状に形成されている。これにより、第１から第４蓋部７ａ，７ｂ，７ｃ，７ｄを第１から第４支柱部５ａ，５ｂ，５ｃ，５ｄ上に配置したときに、第１から第４支柱部５ａ，５ｂ，５ｃ，５ｄと第１から第４蓋部７ａ，７ｂ，７ｃ，７ｄとの一体感が生じ、ペットサークル１の見栄えが向上する。
【００５１】
ペットサークル１は、ジョイント部品１１によって隣り合うパネルを結合するようになっている。このため、隣り合うパネルの加わる負荷が第１から第４支柱部５ａ，５ｂ，５ｃ，５ｄに加わりにくくなる。これにより、例えばペットが第１から第４パネル３ａ，３ｂ，３ｃ，３ｄに衝撃を加えたとしても、この衝撃は第１から第４支柱部５ａ，５ｂ，５ｃ，５ｄに伝わりにくいので、第１から第４支柱部５ａ，５ｂ，５ｃ，５ｄの破損が防止される。
【００５２】
また、支持部５１ａに形成された穴部５１１ｃ，５１１ｄは、突出部３１ｃ，３２ｃを構成する線材の太さと比較して所定量大きく形成されていてもよい。これにより、第１及び第２パネル３ａ，３ｂに衝撃が加わっても、突出部３１ｃ，３２ｃは、穴部５１１ｃ，５１１ｄ内で動くに留まって穴部５１１ｃ，５１１ｄの壁面に接触しにくくなる。これにより、第１及び第２パネル３ａ，３ｂに加わった衝撃は、穴部５１１ｃ，５１１ｄを介して第１支柱部５ａに伝わりにくくなるので、第１支柱部５ａが破損しにくくなる。
【００５３】
また、穴部５１１ｃ，５１１ｄは、第１支柱部５ａの長手方向に対してほぼ直交する方向に長さの長い長穴形状（横穴形状）に形成されていてもよい。すなわち、穴部５１１ｃ，５１１ｄは、外側側部５１１ａ及び内側側部５１１ｂに跨る長穴形状（横穴形状）を有している。例えば、ペットが第１及び第２パネル３ａ，３ｂに与える衝撃は、第１支柱部５ａの長手方向よりもこの長手方向に対して直交する方向に加わりやすい。このため、穴部５１１ｃ，５１１ｄを長穴形状とすると、第１支柱部５ａは、ペットサークル１の通常使用時には緩みのない状態で第１及び第２パネル３ａ，３ｂを所定位置に保持できる。一方、第１及び第２パネル３ａ，３ｂに衝撃が加わった異常時には、突出部３１ｃ，３２ｃは穴部５１１ｃ，５１１ｄの長手方向に移動して穴部５１１ｃ，５１１ｄの壁面に接触しにくい。これにより、第１支柱部５ａは、この衝撃を受けにくくなり、破損しにくくなる。
【００５４】
また、穴部５１１ｃ，５１１ｄに対応し、第２から第４支柱部５ｂ，５ｃ，５ｄに形成された穴部を、第１から第４パネル３ａ，３ｂ，３ｃ，３ｄにそれぞれ形成された突出部を構成する線材の太さよりも所定量大きく又は長穴形状とすることにより、第２から第４支柱部５ｂ，５ｃ，５ｄは第１支柱部５ａと同様の効果が得られる。
【００５５】
本実施形態では、一のペットサークルの第１から第４支柱部に設けられた凸部上に、他のペットサークルの第１から第４支柱部に設けられた凹部を挿入するだけで、２つのペットサークルを積み重ねることができる。このため、本実施形態では、第１から第４パネルと第１から第４支柱部とを組み立てた状態で一のペットサークル上に他のペットサークルを積み重ねることができる。これにより、ペットサークルの積み重ねの操作性が向上する。
【００５６】
本考案は、上記実施形態に限らず種々の変形が可能である。
上記実施形態では、第１から第４パネル及び天井パネルは線材によって構成されているが、本考案はこれに限られない。例えば、本考案の他の態様では、第１から第４パネル及び天井パネルは、透明の樹脂で形成されて空気穴が形成された平板形状を有していてもよい。
【００５７】
また、上記実施形態では、隣り合うパネルは、ジョイント部品１１で連結されているが、本考案はこれに限られない。例えば、本考案の他の態様では、パネルの端部から突出して形成された突出部の引き出しの長さを短くして、一対の穴部の間の支持部によって突出部を支持するように構成されていてもよい。この場合、支柱部は、隣り合う２枚のパネルを連結することができる。
【００５８】
上記の実施形態は、本考案の技術的思想を具体化するための装置を例示するものであって、本考案の技術的思想は、構成部品の材質、形状、構造、配置等を下記のものに特定するものでない。本考案の技術的思想は、実用新案登録請求の範囲に記載された請求項が規定する技術的範囲内において、種々の変更を加えることができる。
【符号の説明】
【００５９】
１  ペットサークル
２  居住空間
３ａ，６ａ  第１パネル
３ｂ，６ｂ  第２パネル
３ｃ，６ｃ  第３パネル
３ｄ，６ｄ  第４パネル
５ａ  第１支柱部
５ｂ  第２支柱部
５ｃ  第３支柱部
５ｄ  第４支柱部
７ａ  第１蓋部
７ｂ  第２蓋部
７ｃ  第３蓋部
７ｄ  第４蓋部
９  天井パネル
１１，２１  ジョイント部品
１１ａ  第１部品
１１ｂ  第２部品
１３  トレイ
３１ａ  左パネル
３１ｂ  右パネル
３１ｃ，３２ｃ  突出部
５１ａ，５２ａ，５３ａ，５４ａ，１１５ｂ  支持部
５１ｂ，１１６  凸部
５１ｃ，１１７，１２７  凹部
５１ｄ  空洞部
７１ａ  側面
７１ｂ  上面
７１ｃ  パネル保持部
７１ｄ  ねじ孔
７１ｅ  挿入部
１１３  第１溝部
１１４  第２溝部
１１５  係合部
１１５ａ  係合片
１１５ｂ  支持部
１２３，５１１ｅ  貫通穴
１２４  縁部
１２５  周壁部
１２６  規制部
３１１ａ，３１１ｂ，３１１ｃ，３１１ｄ，３９２  線材
３１２  ロック部品
３９２ａ，３９２ｂ  係止部
３９３  固定部品
５１１ａ  外側側部
５１１ｂ  内側側部
５１１ｃ，５１１ｄ  穴部
５１２  バックル
【図１】
0003195401.tif 000003
【図２】
0003195401.tif 000004
【図３】
0003195401.tif 000005
【図４】
0003195401.tif 000006
【図５】
0003195401.tif 000007
【図６】
0003195401.tif 000008
【図７】
0003195401.tif 000009
【図８】
0003195401.tif 000010
【図９】
0003195401.tif 000011
【図１０】
0003195401.tif 000012